(57)【特許請求の範囲】
【請求項１】
少なくとも１以上の異なる輝度で点灯する点灯状態を有し、前記点灯状態への遷移要求が発生してから点灯を開始し、ユーザが操作を行わなくなってから第１の点灯時間点灯した後に他の点灯状態又は消灯状態に遷移する表示手段と、
前記表示手段が前記点灯状態で点灯する第２の点灯時間を計測する計測手段と、
前記計測手段により計測された第２の点灯時間を累積的に記憶する点灯累積時間記憶手段と、
前記表示手段の点灯累積時間閾値を保持し、前記点灯累積時間閾値に応じて決定された前記表示手段の少なくとも１以上の前記点灯状態の第３の点灯時間を記憶する点灯時間記憶手段と、
前記点灯累積時間記憶手段に記憶された点灯累積時間と、前記点灯時間記憶手段に記憶された点灯累積時間閾値とを比較する比較手段と、
前記比較手段の比較結果に基づき、前記表示手段の少なくとも１以上の前記点灯状態の第１の点灯時間を、前記点灯時間記憶手段に記憶された前記点灯累積時間閾値に応じて決定された第３の点灯時間に設定する設定手段を備えたことを特徴とする携帯端末装置。
【請求項２】
前記計測手段は、前記表示手段の点灯状態の輝度に応じて、前記点灯累積時間記憶手段に記憶する第２の点灯時間の計測方法を、前記表示手段の点灯状態の電流量に対応する計測方法に変更することを特徴とする請求項１記載の携帯端末装置。
【請求項３】
前記計測手段は、前記表示手段が前記点灯状態で点灯し、かつ静止画像が表示されている時間を第２の点灯時間として計測することを特徴とする請求項１記載の携帯端末装置。
【請求項４】
前記点灯時間記憶手段は、前記点灯累積時間閾値に応じて決定された前記表示手段の少なくとも１以上の前記点灯状態の第３の点灯時間の設定可能範囲を記憶し、
前記設定手段は、前記点灯時間記憶手段に記憶された前記設定可能範囲内で前記点灯状態の第３の点灯時間の設定が可能であることを特徴とする請求項１記載の携帯端末装置。
【請求項５】
前記表示手段は、所定輝度で点灯する第１の点灯状態と、
前記第１の点灯状態の後に遷移する、前記第１の点灯状態よりも低い輝度で点灯する第２の点灯状態とを有することを特徴とする請求項１記載の携帯端末装置。
【請求項６】
前記表示手段が前記第２の点灯状態で点灯する場合、前記表示手段に表示された表示画像の少なくとも一部を消灯または前記第２の点灯状態よりも低い輝度で点灯することを特徴とする請求項５記載の携帯端末装置。
【請求項７】
前記表示手段は、有機ＥＬ素子で構成されることを特徴とする請求項１記載の携帯端末装置。
【発明の詳細な説明】
【技術分野】
【０００１】
本発明は、携帯端末装置に係り、特に表示部を好適に制御する携帯端末装置に関する。
【背景技術】
【０００２】
近年、画素を自発光型の表示素子で形成した表示部が携帯端末装置に搭載されている。特に、有機ＥＬ素子で構成された有機ＥＬディスプレイは、液晶ディスプレイ（ＬＣＤ、Ｌｉｑｕｉｄ  Ｃｒｙｓｔａｌ  Ｄｉｓｐｌａｙ）に比べて視認性が高く、バックライトが不要で応答速度が速いなどの利点を有している。
【０００３】
有機ＥＬ素子などの自発光型の表示素子の点灯輝度は、表示素子に通電する電流量によって制御され、表示素子の劣化の度合いは通電量および発光時間に依存する。このため自発光型の表示素子を用いた表示部は、通電および酸素や湿気の影響による経年的な劣化に伴い表示素子の発光輝度が低下し、個々の表示素子の発光状態に応じて、焼付き状のパターンが生じるという特徴を有している。
【０００４】
特に、薄膜トランジスタ（Ｔｈｉｎ  ｆｉｌｍ  ｔｒａｎｓｉｓｔｏｒ、ＴＦＴ）を各画素に配置して駆動させるアクティブマトリクス型の有機ＥＬディスプレイについては、ＴＦＴの劣化が著しいため、十分な画質を確保しつつ長期的な寿命を確保するという課題があった。
【０００５】
従来、主に表示部に発生する焼付きを防止することができる端末装置が特許文献１に開示されている。この端末装置は、表示部の表示エリアを複数に分割し、常時表示される時計表示の位置を経過時間に応じて変更することで、表示部に対する焼付きを防止するものであった。
【特許文献１】特開２００３−２２３１６０号公報
【発明の開示】
【発明が解決しようとする課題】
【０００６】
有機ＥＬディスプレイなどの自発光型の表示素子を用いた表示部は、表示素子の発光時間に応じて劣化が進むため、表示部の点灯累積時間に応じて寿命が決定される。このため、有機ＥＬディスプレイを表示部として用いた携帯端末装置の使用可能期間やメンテナンスの時期も表示部の寿命に応じて左右されるため、表示部の点灯累積時間を把握し、これに応じて好適な制御を行い経年劣化を防止することが求められる。また、特許文献１に示す端末装置には、表示部の点灯累積時間を用いた表示制御については何ら開示されていなかった。
【０００７】
本発明はこのような事情を考慮してなされたもので、表示部の点灯累積時間を把握し、これに基づき表示制御を行う携帯端末装置を提供することを目的とする。
【０００８】
本発明の他の目的は、表示部に表示される画像の表示を好適に制御し、表示装置の焼付きを防止する携帯端末装置を提供するにある。
【課題を解決するための手段】
【０００９】
開示の技術に係る携帯端末装置は、上述した課題を解決するために、少なくとも１以上の異なる輝度で点灯する点灯状態を有し、前記点灯状態への遷移要求が発生してから点灯を開始し、ユーザが操作を行わなくなってから第１の点灯時間点灯した後に他の点灯状態又は消灯状態に遷移する表示手段と、前記表示手段が前記点灯状態で点灯する第２の点灯時間を計測する計測手段と、前記計測手段により計測された第２の点灯時間を累積的に記憶する点灯累積時間記憶手段と、前記表示手段の点灯累積時間閾値を保持し、前記点灯累積時間閾値に応じて決定された前記表示手段の少なくとも１以上の前記点灯状態の第３の点灯時間を記憶する点灯時間記憶手段と、前記点灯累積時間記憶手段に記憶された点灯累積時間と、前記点灯時間記憶手段に記憶された点灯累積時間閾値とを比較する比較手段と、前記比較手段の比較結果に基づき、前記表示手段の少なくとも１以上の前記点灯状態の第１の点灯時間を、前記点灯時間記憶手段に記憶された前記点灯累積時間閾値に応じて決定された第３の点灯時間に設定する設定手段を備えたことを特徴とする。
【００１０】
また、開示の技術に係る携帯端末装置は、上述した課題を解決するために、入力手段と、所定輝度で点灯する第１の点灯状態と、前記第１の点灯状態よりも低い輝度で点灯し、前記第１の点灯状態で点灯している場合に前記入力手段により入力を受け付けない時間が所定時間経過した場合に遷移する第２の点灯状態とを有し、かつ前記入力手段により入力を受け付けた後に実行される処理の概要が表示される入力処理表示領域を少なくとも有する表示手段と、前記表示手段が前記第２の点灯状態で点灯した場合、前記入力処理表示領域を消灯または前記第２の点灯状態よりも低い輝度で点灯させる表示制御手段とを備えたことを特徴とする。
【発明の効果】
【００１１】
本発明に係る携帯端末装置は、表示部の点灯時間を好適に制御し経年劣化を低減することができる。
【発明を実施するための最良の形態】
【００１２】
本発明に係る携帯端末装置の実施形態を添付図面に基づいて説明する。
【００１３】
図１は、本発明に係る携帯端末装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１４】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１５】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１６】
第１の筐体１２には、操作キー１４として上部に十字キーと確定キー１４ｃが設けられており、ユーザが十字キーを上下左右方向に操作することにより例えばカーソルを上下左右方向に移動させることができる。また、確定キー１４ｃを押下することにより、種々の機能を確定することができる。確定キー１４ｃには、入力を受け付けた後に実行される処理が変更可能な操作キーである。確定キー１４ｃに割り当てられた処理は、メインディスプレイ１７の下部に設けられたキー機能表示部１７ａの中央に表示される。
【００１７】
さらに、第１の筐体１２には、第１ソフトキー１４ａおよび第２ソフトキー１４ｂが十字キーと確定キー１４ｃの上部にそれぞれ設けられている。第１ソフトキー１４ａおよび第２ソフトキー１４ｂは、入力を受け付けた後に実行される処理が変更可能な操作キーである。第１ソフトキー１４ａに割り当てられた処理は、メインディスプレイ１７の下部に設けられたキー機能表示部１７ａの右側に表示される。また、第２ソフトキー１４ｂに割り当てられた処理は、キー機能表示部１７ａの左側に表示される。
【００１８】
第１の筐体１２の側面には、携帯電話機１の操作を行うサイドキー１６が設けられている。このサイドキー１６は、第１の筐体１２の内部方向に押下されることによって、所定の処理が割り当てられている。
【００１９】
また、第１の筐体１２には、操作キー１４の下部にマイクロフォン１５が設けられており、マイクロフォン１５によって通話時のユーザの音声を集音する。
【００２０】
なお、第１の筐体１２は、背面側に図示しないバッテリパックが挿着されており、終話・電源キーがオン状態になると、バッテリパックから各回路部に対して電力が供給されて動作可能な状態に起動する。
【００２１】
一方、第２の筐体１３には、その正面に表示手段としてのメインディスプレイ１７が設けられている。本実施形態においては、メインディスプレイ１７は有機ＥＬ素子により構成される。メインディスプレイ１７上部には、電波の受信状態、電池残量、メールの着信を知らせるアイコンなどの表示領域であるアイコン表示部１７ｂが設けられる。また、メインディスプレイ１７中央部に設けられる表示領域には、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツが表示される中央表示部１７ｃが設けられる。また、メインディスプレイ１７下部には、入力処理表示領域としてのキー機能表示部１７ａが設けられ、起動しているソフトウエアに応じて第１ソフトキー１４ａ、第２ソフトキー１４ｂおよび確定キー１４ｃに割り当てられた所定の処理の概要が表示される。
【００２２】
なお、メインディスプレイ１７の点灯状態には３状態あり、第１の状態は通常点灯状態、第２の状態は通常点灯状態よりも輝度が低い微灯状態、第３の状態はメインディスプレイ１７を構成する有機ＥＬ素子に通電がおこなわれていない消灯状態である。メインディスプレイ１７の点灯状態の詳細については後述する。
【００２３】
メインディスプレイ１７の上部の所定の位置にはスピーカ１８が設けられており、これにより、ユーザは音声通話することが可能である。
【００２４】
また、第１の筐体１２と第２の筐体１３の内部の所定の位置には、携帯電話機１の開閉状態を検知するための磁気センサ１９ａ、１９ｂ、１９ｃ、および１９ｄが設けられる。
【００２５】
図２は、本発明に係る携帯端末装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２６】
第２の筐体１３の上部には、ＣＣＤカメラ２０が設けられており、これにより、所望の撮影対象を撮像することができる。ＣＣＤカメラ２０の下部には、表示手段としてのサブディスプレイ２１が設けられており、現在のアンテナの感度のレベルを示すアンテナピクト、携帯電話機１の現在の電池残量を示す電池ピクト、現在の時刻などが表示される。なお、サブディスプレイ２１も、メインディスプレイ１７と同様に、有機ＥＬ素子により構成されるディスプレイである。
【００２７】
図３は、本発明に係る情報処理装置に適用可能な携帯電話機１の内部の構成を表している。
【００２８】
図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２９】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００３０】
圧縮伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００３１】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、スピーカ１８により出力される。
【００３２】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００３３】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３４】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３５】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３６】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３７】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３８】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３９】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。
【００４０】
電源回路４４は、バッテリ４３の出力を基に所定の動作電源電圧Ｖｃｃを生成して各回路部に供給する。
【００４１】
図４は、図３に示す携帯電話機１の制御部４１が実行することができる機能的な構成を表している。
【００４２】
点灯時間計測部５０は、計測手段として設けられ、表示部としてのメインディスプレイ１７が点灯している時間を計測しその点灯時間を累積的に点灯累積時間データベース（ＤＢ）５１に記憶する。点灯時間計測部５０は、例えば携帯電話機１に設けられた時計回路４７により測定される現在時刻を参照して点灯時間の計測を行い、点灯開始時刻と点灯終了時刻との差を点灯時間として取得する。なお、点灯時間を計測するための専用のタイマを設けてもよい。
【００４３】
ここで、メインディスプレイ１７の表示状態には、通常点灯状態、微灯状態および消灯状態の３状態がある。図５はメインディスプレイ１７の各状態を説明する図である。
【００４４】
図５（Ａ）は、第１の状態である通常点灯状態を示す図である。メインディスプレイ１７は、携帯電話機１が閉じた状態から見開いた状態に遷移した場合や、メインディスプレイ１７が消灯状態である時に何らかの操作キー１４が押下された場合に通常点灯状態となる。通常点灯状態は、メインディスプレイ１７に表示された画像をユーザが視認している状態である想定されるため、他の表示状態に比べて最も輝度の高い状態である。
【００４５】
図５（Ｂ）は、第２の状態である微灯状態を示す図である。メインディスプレイ１７は、通常点灯状態において何ら操作が行われないまま所定時間が経過した場合に、通常点灯状態から微灯状態に移行する。微灯状態は、携帯電話機１の操作が行われないまま所定時間が経過したことから、ユーザが携帯電話機１を操作する意思が無い状態と想定することができ、消費電力の抑制を図るため点灯はしているものの通常点灯状態よりも輝度が低く、表示された画像を正確には視認することができない程度の表示状態である。
【００４６】
図５（Ｃ）は、第３の状態である消灯状態を示す図である。メインディスプレイ１７は、微灯状態において何ら操作が行われないまま所定時間が経過した場合に、微灯状態から消灯状態に遷移する。消灯状態は、微灯状態と同様にユーザが携帯電話機１を操作する意思がない状態と想定し、消費電力の抑制を図るためメインディスプレイ１７を消灯した状態である。
【００４７】
なお、メインディスプレイ１７は図５（Ｂ）と（Ｃ）に示す微灯状態と消灯状態である場合、いずれかの操作キー１４が押下されることにより図５（Ａ）に示す通常点灯状態に遷移する。
【００４８】
点灯時間計測部５０は、このうちメインディスプレイ１７が通常点灯状態および微灯状態である場合に、点灯時間の計測を行う。また、点灯時間計測部５０は、この点灯状態に応じて点灯時間の計測方法を変えて行う。例えば、メインディスプレイ１７が通常点灯状態である場合、計測された実際の点灯時間を点灯累積時間として取得する。一方、メインディスプレイ１７が微灯状態である場合には、通常点灯状態とは電流量が異なる。よって電流量の違いに基づく経年劣化の差異を図るため、例えば実際の点灯時間の５割の時間を点灯時間として取得したり、通常点灯状態と微灯状態の電流量に比例して、点灯時間を取得したりする。
【００４９】
また、点灯時間を計測するタイミングは、メインディスプレイ１７の中央表示部１７ｃに静止画像が表示されている場合の点灯時間を計測する。有機ＥＬ素子の特性上、同一画像を同一箇所に表示することにより劣化し、メインディスプレイ１７上の当該箇所に焼付きが発生する恐れがある。このため、動画像に比べて劣化が生じやすい静止画像が表示されている場合の点灯時間を計測する。
【００５０】
点灯累積時間データベース（ＤＢ）５１は、例えば記憶部４２で実現される点灯累積時間記憶手段として設けられ、点灯時間計測部５０により計測し取得されたメインディスプレイ１７の点灯時間を点灯累積時間ｈｒとして累積的に記憶する。
【００５１】
点灯時間データベース（ＤＢ）５２は、点灯時間記憶手段として設けられ、メインディスプレイ１７の点灯累積時間ｈｒに対応する各点灯状態の点灯時間に関する情報である点灯時間設定テーブルを格納する。点灯時間設定テーブルには、メインディスプレイ１７の点灯累積時間ｈｒに起因する経年劣化の低減を図るために決定された各点灯状態の各点灯時間が保持されている。図６は、点灯時間設定テーブルの一例を示す図である。
【００５２】
点灯時間設定テーブルにおいては、点灯累積時間閾値ｈに対応する点灯時間（通常）ｔａと点灯時間（微灯）ｔｂが定められている。これら点灯時間は、各点灯状態において何ら操作が行われなかった場合に各点灯状態を維持する時間である。各点灯時間は、点灯累積時間閾値ｈを参照して決定され、例えば点灯累積時間ｈｒが点灯累積時間閾値ｈ２未満の場合には通常点灯状態は１５秒、微灯状態は２０秒に設定される。また、点灯累積時間ｈｒが点灯累積時間閾値ｈ２以上ｈ３未満である場合には、通常点灯状態は１３秒、微灯状態は１８秒に設定される。
【００５３】
また、設定可能時間範囲（通常）ｔｃおよび設定可能時間範囲（微灯）ｔｄは、メインディスプレイ１７の点灯時間をユーザが任意に設定する場合おいて好適な通常点灯状態と微灯状態の各点灯時間の最大値を定めたものである。例えば、点灯累積時間ｈｒが点灯累積時間閾値ｈ２以上ｈ３未満である場合には、通常点灯状態は１８秒以内、微灯状態は２２秒以内に設定される。
【００５４】
なお、点灯時間設定テーブルに示された各時間は一例であって、これに限られない。
【００５５】
点灯累積時間比較部５３は、比較手段として設けられ、点灯累積時間ＤＢ５１に記憶されたメインディスプレイ１７の点灯累積時間ｈｒと、点灯時間ＤＢ５２に格納された点灯時間設定テーブルに基づく点灯累積時間閾値ｈとの比較を行う。点灯累積時間比較部５３は、この比較結果を点灯時間設定部５４に出力する。点灯累積時間比較部５３による比較は、例えばメインディスプレイ１７が通常点灯状態となった時や消灯状態となった時などのタイミングで行われる。
【００５６】
点灯時間設定部５４は、設定手段として設けられ、点灯累積時間比較部５３から出力された比較結果に基づき、メインディスプレイ１７の通常点灯状態および微灯状態の各点灯時間の設定を行う。具体的には、点灯時間設定部５４は、点灯累積時間比較部５３から出力された比較結果に基づき、点灯時間ＤＢ５２に格納された点灯時間設定テーブルの点灯累積時間閾値ｈの値に対応する各点灯時間を読み込み、読み込んだ各点灯時間に基づき設定を行う。
【００５７】
また、点灯時間設定部５４は、通常点灯状態および微灯状態の各点灯時間を、操作キー１４で実現される入力部５５を介して入力を受け付けた任意の点灯時間に設定することができる。このとき、設定が可能な通常点灯状態の点灯時間の範囲は、点灯時間ＤＢ５２に格納された点灯時間設定テーブルの点灯累積時間閾値ｈに対応して定められた設定可能時間範囲（通常）ｔｃの範囲内において設定が可能である。また、微灯状態の点灯時間の範囲についても同様に、点灯時間設定テーブルの点灯累積時間閾値ｈに対応して定められた設定可能時間範囲（微灯）ｔｄの範囲内において設定が可能である。
【００５８】
例えば、点灯累積時間ｈｒが点灯累積時間閾値ｈ１以上ｈ２未満である場合には、通常点灯状態の点灯時間は２０秒以内、微灯状態の点灯時間は２５秒以内に設定される。
【００５９】
点灯状態制御部５６は、点灯時間設定部５４により設定された通常点灯状態および微灯状態の各点灯時間に応じて、表示部５８としてのメインディスプレイ１７の点灯状態の制御を行う。
【００６０】
キー機能表示制御部５７は、表示制御手段として設けられ、点灯状態制御部５６によるメインディスプレイ１７の点灯状態の制御に応じてキー機能表示部１７ａの制御を行う。キー機能表示制御部５７は、メインディスプレイ１７の点灯状態が図５（Ｂ）に示す微灯状態であるときに機能する。
【００６１】
ここで、微灯状態は、メインディスプレイ１７に表示された画像を視認するための状態である図５（Ａ）の通常点灯状態とは異なり、操作が行われないまま所定時間が経過したことから、ユーザが携帯電話機１を操作する意思が無い状態と想定することができる状態である。このため、消費電力の低減を図るべく点灯しているものの通常点灯状態よりも輝度が低く、表示された画像を正確には視認することができない程度の状態である。
【００６２】
つまり、携帯電話機１は、微灯状態においてはメインディスプレイ１７に表示された画像に対する正確な操作を受け付けることはまれである。よって、メインディスプレイ１７において設けられた、第１ソフトキー１４ａ、第２ソフトキー１４ｂおよび確定キー１４ｃに割り当てられた処理を表示するキー機能表示部１７ａの表示を行う必要性はほぼなく、このキー機能表示部１７ａの表示を消灯または微灯状態よりも低い輝度で点灯させてもよい。
【００６３】
図５（Ｄ）は、キー機能表示制御部５７がキー機能表示部１７ａの表示制御を行い、表示を消灯または微灯状態よりも低い輝度で点灯させた場合のメインディスプレイ１７の表示例を示す図である。
【００６４】
キー機能表示部１７ａの表示を消灯させた状態は、メインディスプレイ１７を構成する有機ＥＬ素子にほぼ通電しておらず、有機ＥＬ素子がほぼ発光していない状態である。また、キー機能表示部１７ａの表示を微灯状態よりも低い輝度で点灯させた状態は、微灯状態より電流量が小さい状態である。つまり、キー機能表示部１７ａの表示を消灯または微灯状態よりも低い輝度で点灯させた場合、メインディスプレイ１７の消費電力量を低減することができる。
【００６５】
また、メインディスプレイ１７を構成する有機ＥＬ素子の特性上、長時間同一画像を同一箇所に表示することにより有機ＥＬ素子が劣化し、当該箇所に焼付きが発生する恐れがある。よって、微灯状態においてはほぼ不要であるキー機能表示部１７ａの表示を消灯または微灯状態よりも低い輝度で点灯することによって、焼付きを防止することができる。
【００６６】
以上の点から、キー機能表示制御部５７は、メインディスプレイ１７が微灯状態である場合に、キー機能表示部１７ａの表示を消灯または微灯状態よりも低い輝度で点灯するように制御を行う。
【００６７】
次に、本実施形態における携帯電話機１により実現される表示制御処理について説明する。この表示制御処理は、点灯時間取得処理、点灯時間制御処理およびキー機能表示制御処理によって実現される。
【００６８】
図７は、点灯時間取得処理の流れを説明するフローチャートである。図７に示す点灯時間取得処理は、メインディスプレイ１７が図５（Ａ）に示す通常点灯状態、図５（Ｂ）に示す微灯状態である場合に、それぞれ点灯時間の計測方法を変えて行う処理について説明する。
【００６９】
この点灯時間取得処理は、メインディスプレイ１７を消灯状態から通常点灯状態に遷移する要求が発生したときに開始される。つまり、点灯時間取得処理は、携帯電話機１が閉じた状態から見開いた状態に遷移した場合や、ディスプレイが図５（Ｃ）に示す消灯状態である時に何らかの操作キー１４が押下された場合に開始される。
【００７０】
ステップＳ１において、点灯時間計測部５０は、通常点灯開始時間を取得する。通常点灯開始時間は、例えば時計回路４７により測定される現在時刻を参照して取得される。
【００７１】
ステップＳ２において、点灯時間計測部５０は、表示部５８としてのメインディスプレイ１７が図５（Ｂ）に示す微灯状態に遷移したか否かの判定を行う。判定は、点灯状態制御部５６から現在のメインディスプレイ１７の点灯状態を取得して行う。メインディスプレイ１７が微灯状態ではなく、依然として通常点灯常態である場合、点灯時間計測部５０はメインディスプレイ１７が微灯状態に遷移するまで処理を待機する。
【００７２】
一方、点灯時間計測部５０は、メインディスプレイ１７が微灯状態に遷移したと判定した場合、ステップＳ３において、通常点灯終了時間を取得する。通常点灯終了時間は、例えば時計回路４７により測定される現在時刻を参照して取得する。また、点灯時間計測部５０は、通常点灯終了時間と同時刻を微灯開始時間として取得する。
【００７３】
ステップＳ４において、点灯時間計測部５０は、メインディスプレイ１７が微灯状態であるか否かの判定を行う。判定は、点灯状態制御部５６から現在のメインディスプレイ１７の点灯状態を取得して行う。メインディスプレイ１７が依然として微灯状態である場合、点灯時間計測部５０はメインディスプレイ１７が他の状態に遷移するまで処理を待機する。
【００７４】
消灯状態判定ステップＳ４において、メインディスプレイ１７が微灯状態ではない場合、ステップＳ５において、点灯時間計測部５０は、メインディスプレイ１７が図５（Ａ）に示す通常点灯状態に遷移したか否かの判定を行う。判定は、点灯状態制御部５６から現在のメインディスプレイ１７の点灯状態を取得して行う。メインディスプレイ１７が通常点灯状態である場合、処理は通常点灯開始時間取得ステップＳ１に戻り、ステップＳ１以降の処理が実行される。
【００７５】
一方、メインディスプレイ１７が通常点灯状態ではない場合、メインディスプレイ１７の点灯状態は微灯状態から図５（Ｃ）に示す消灯状態に遷移した状態であるため、ステップＳ６において、点灯時間計測部５０は微灯終了時間を取得する。微灯終了時間は、例えば時計回路４７により測定される現在時刻を参照して取得する。
【００７６】
ステップＳ７において、点灯時間計測部５０は、通常点灯開始時間取得ステップＳ１と、通常点灯終了時間および微灯開始時間取得ステップＳ３と、微灯終了時間取得ステップＳ６とにおいて取得した各時間から、点灯時間取得処理が開始されてからの点灯時間を取得する。点灯時間計測部５０は、通常点灯および微灯の点灯状態に応じて点灯時間の取得方法を変えて行う。
【００７７】
点灯時間計測部５０は、メインディスプレイ１７が通常点灯状態である場合には実際の点灯時間を点灯時間として取得する。つまり、通常点灯開始時間取得ステップＳ１と通常点灯終了時間取得ステップＳ３で取得した各時間の差から求められた時間を、通常点灯状態の点灯時間として取得する。
【００７８】
また点灯時間計測部５０は、例えば、メインディスプレイ１７が微灯状態である場合には実際の点灯時間の５割の時間を点灯時間として取得する。つまり、微灯開始時間取得ステップＳ３と微灯終了時間取得ステップＳ６で取得した各時間の差から求められた実際の微灯状態の点灯時間の５割を点灯時間として取得する。
【００７９】
ステップＳ８において、点灯時間計測部５０は、点灯時間取得ステップＳ７において取得した通常点灯状態および微灯点灯状態の各点灯時間を足し合わせた時間を、点灯時間として点灯累積時間ＤＢ５１に記憶する。点灯時間計測部５０は、点灯累積時間ＤＢ５１にすでに記憶された点灯累積時間ｈｒがある場合には、この点灯累積時間ｈｒに累積的に加算して記憶する。点灯累積時間ｈｒは、例えば１時間単位で保存されるのが好ましい。以上で、点灯時間取得処理は終了する。
【００８０】
なお、点灯時間計測部５０は、点灯時間取得ステップＳ７において計測結果に基づき点灯時間を取得する際、通常点灯状態と微灯状態とに応じて点灯累積時間ｈｒに累積的に加算する点灯時間に差異をつけて取得したが、通常点灯状態と微灯状態とに差異をつけずに均一に点灯時間として取得してもよい。
【００８１】
次に、他の点灯時間取得処理について説明する。図８は、他の点灯時間取得処理の流れを説明するフローチャートである。図８に示す点灯時間取得処理は、メインディスプレイ１７の中央表示部１７ｃに、静止画像が表示されている場合の点灯時間を計測する。静止画が表示されている場合の点灯時間を計測することで、同一箇所に表示が固定されない動画像に比べて劣化が生じやすいため、有機ＥＬ素子およびメインディスプレイ１７の経年劣化により影響するためである。
【００８２】
なお、図５（Ａ）に示す通常点灯状態と図５（Ｂ）に示す微灯状態は、ともに点灯状態として区別せずに点灯時間の計測を行う場合について説明する。
【００８３】
この点灯時間取得処理は、メインディスプレイ１７を消灯状態から通常点灯状態に遷移する要求が発生したときに開始される。つまり、点灯時間取得処理は、携帯電話機１が閉じた状態から見開いた状態に遷移した場合や、ディスプレイが図５（Ｃ）に示す消灯状態である時に何らかの操作キー１４が押下された場合に開始される。
【００８４】
ステップＳ１１において、点灯時間計測部５０は、メインディスプレイ１７の中央表示部１７ｃに表示されている画像が、静止画像であるか否かの判定を再度行う。なお、このステップＳ１１における判定においては、中央表示部１７ｃに表示されている画像が静止画像であるか否かの判定に限定されず、予め決められた領域（表示部１７の大多数の領域であることが望ましい）に静止画が表示されているか否かで判断しても良い。その判断の仕方としては、表示されるコンテンツの拡張子によって判断されることが望ましい。
【００８５】
ステップＳ１２において、点灯時間計測部５０は、メインディスプレイ１７の中央表示部１７ｃに表示されている画像が、静止画像ではなく動画像などであると判定した場合、中央表示部１７ｃに表示される画像が静止画像となるまで処理を待機する。
【００８６】
一方、点灯時間計測部５０は中央表示部１７ｃに表示されている画像が静止画像であると判定した場合、ステップＳ１２において、静止画像表示開始時間を取得する。静止画像表示開始時間は、例えば時計回路４７により測定される現在時刻を参照して取得される。
【００８７】
ステップＳ１３において、点灯時間計測部５０は、表示部５８としてのメインディスプレイ１７の中央表示部１７ｃに表示される画像が、静止画像であるか否かの判定を行う。中央表示部１７ｃに表示される画像が静止画像である場合、点灯時間計測部５０は、中央表示部１７ｃに表示される画像が動画像となるまで、またはメインディスプレイ１７が消灯状態となるまで処理を待機する。
【００８８】
一方、点灯時間計測部５０は中央表示部１７ｃに表示されている画像が静止画像ではないと判定した場合、ステップＳ１４において、静止画像表示終了時間を取得する。静止画像表示終了時間は、例えば時計回路４７により測定される現在時刻を参照して取得する。
【００８９】
ステップＳ１５において、点灯時間計測部５０は、メインディスプレイ１７が消灯状態であるか否かの判定を行う。判定は、点灯状態制御部５６から現在のメインディスプレイ１７の点灯状態を取得して行う。メインディスプレイ１７が通常点灯状態または微灯状態である場合、処理は静止画像判定ステップＳ１１に戻り以降の処理が繰り返される。
【００９０】
ステップＳ１６において、点灯時間計測部５０は、静止画像表示開始時間取得ステップＳ１２と、静止画像終了時間取得ステップＳ１４とにおいて取得した各時間から、点灯時間取得処理が開始されてからの点灯時間を取得する。
【００９１】
ステップＳ１７において、点灯時間計測部５０は、点灯時間取得ステップＳ１６において取得した点灯時間を点灯累積時間ＤＢ５１に記憶する。点灯時間計測部５０は、点灯累積時間ＤＢ５１にすでに記憶された点灯累積時間ｈｒがある場合には、この点灯累積時間ｈｒに累積的に加算して記憶する。以上で、点灯時間取得処理は終了する。
【００９２】
図８に示す点灯時間取得処理は、通常点灯状態および微灯状態の点灯状態の輝度の違いについては考慮せず、静止画像の表示時間に応じたメインディスプレイ１７の点灯時間を計測したが、図７に示す点灯時間取得処理と組み合わせ、点灯状態の輝度の違いにより点灯時間の計測方法を変更し、かつ点灯時間として計測する時間は静止画像がメインディスプレイ１７の中央表示部１７ｃに表示されている時間を計測して、点灯累積時間ｈｒとしてもよい。
【００９３】
なお、図７および８に示す点灯時間取得処理は、点灯時間取得ステップＳ７およびＳ１６において取得した点灯時間を、メインディスプレイ１７が消灯状態となるたびに点灯累積時間ＤＢ５１に保存処理を行ったが、例えば一時的にデータの保存が可能な記憶領域に保存しておき、一日一回の任意のタイミングで行ってもよい。点灯累積時間ＤＢ５１への保存回数が低減するため、点灯累積時間ＤＢ５１を構成する記憶部４２の劣化を防止することができ、保存により消費される電力量も低減できる。
【００９４】
また、時計回路４７から現在時刻を取得して点灯開始時間や点灯終了時間などを取得したが、計測のための専用のタイマを設けてもよい。
【００９５】
次に、本実施形態における携帯電話機１により実現される表示制御処理のうち、点灯時間制御処理について説明する。図９は、点灯時間制御処理の流れについて説明するフローチャートである。この点灯時間制御処理は、メインディスプレイ１７を消灯状態から通常点灯状態に遷移する要求が発生したときに開始される。つまり、点灯時間制御処理は、携帯電話機１が閉じた状態から見開いた状態に遷移した場合や、ディスプレイが図５（Ｃ）に示す消灯状態である時に何らかの操作キー１４が押下された場合に開始される。
【００９６】
ステップＳ２１において、点灯累積時間比較部５３は、点灯累積時間ＤＢ５１に保存されたメインディスプレイ１７の点灯累積時間ｈｒを取得する。
【００９７】
ステップＳ２２において、点灯累積時間比較部５３は、点灯累積時間取得ステップＳ２１において取得した点灯累積時間ｈｒと、点灯時間ＤＢ５２に格納されている図６に示す点灯時間設定テーブルの点灯累積時間閾値ｈとの比較を行う。例えば、現在は点灯累積時間ｈｒがｈ１以上ｈ２未満であり、メインディスプレイ１７のディスプレイ点灯時間が設定１に設定されている場合、点灯累積時間取得ステップＳ２１において取得した点灯累積時間ｈｒが点灯累積時間閾値ｈ２以上であるか（点灯累積時間閾値ｈ２＜点灯累積時間ｈｒ）比較を行う。
【００９８】
ステップＳ２３において、点灯時間設定部５４は、点灯累積時間ｈｒが点灯累積時間閾値ｈ以上であった場合、各点灯状態の点灯時間の設定を行う。例えば、メインディスプレイ１７の点灯時間が設定１に設定されていた場合において点灯累積時間ｈｒが点灯累積時間閾値ｈ２以上であった場合、点灯時間設定部５４は、自動的に点灯時間設定テーブルの設定値２の各点灯時間に変更する設定を行う。具体的には、通常点灯状態の点灯時間を１３秒、微灯状態の点灯時間を１８秒に変更する設定を行う。一方、点灯累積時間ｈｒが点灯累積時間閾値ｈに満たなかった場合、点灯時間設定部５４は、従来の設定値から各点灯時間の変更の設定を行うことなく、点灯状態制御ステップＳ２４に進む。
【００９９】
ステップＳ２４において、点灯状態制御部５６は、点灯時間設定部５４によって設定された通常点灯状態の点灯時間に基づき、表示部としてのメインディスプレイ１７を通常点灯状態とする。また、何ら携帯電話機１に操作が入力されないまま、設定された通常点灯状態の点灯時間が経過した場合、点灯状態制御部５６は、メインディスプレイ１７の点灯状態を微灯状態に遷移させる制御を行う。また、何ら携帯電話機１に操作が入力されないまま、設定された微灯状態の点灯時間が経過した場合、点灯状態制御部５６は、メインディスプレイ１７の点灯状態を消灯状態に遷移させる制御を行う。
【０１００】
以上で、点灯時間制御処理の説明は終了する。
【０１０１】
なお、点灯時間制御処理は、メインディスプレイ１７を消灯状態から通常点灯状態に遷移する要求が発生したときに開始されるとしたが、メインディスプレイ１７が消灯状態となるタイミングで開始してもよい。
【０１０２】
次に、点灯時間制御処理が実行され、点灯状態制御ステップＳ２４においてメインディスプレイ１７が微灯状態となった後に行われる、キー機能表示制御処理について説明する。図１０は、キー機能表示制御処理の流れを説明するフローチャートである。
【０１０３】
ステップＳ３１において、キー機能表示制御部５７は、メインディスプレイ１７の点灯状態の制御を行う点灯状態制御部５６から現在の点灯状態を取得し、微灯状態であるか否かの判定を行う。メインディスプレイ１７が微灯状態ではない場合、キー機能表示制御部５７は、微灯状態となるまで処理を待機する。
【０１０４】
一方、メインディスプレイ１７が微灯状態である場合、ステップＳ３２において、キー機能表示制御部５７は、図５（Ｄ）に示すようにキー機能表示部１７ａの表示を消灯または微灯状態よりも低い輝度で点灯する。
【０１０５】
ステップＳ３３において、キー機能表示制御部５７は、メインディスプレイ１７の点灯状態の制御を行う点灯状態制御部５６から現在の点灯状態を取得し、メインディスプレイ１７の表示状態が微灯状態から消灯状態に遷移したか否かの判定を行う。メインディスプレイ１７が消灯状態であった場合、キー機能表示制御処理は終了する。
【０１０６】
一方、メインディスプレイ１７の点灯状態が消灯状態でなかった場合、ステップＳ３４において、キー機能表示制御部５７は、点灯状態制御部５６からメインディスプレイ１７の点灯状態を取得し、メインディスプレイ１７の点灯状態が通常点灯状態に遷移したか否かの判定を行う。メインディスプレイ１７が通常点灯状態ではない場合、キー機能表示制御処理は終了する。
【０１０７】
メインディスプレイ１７が通常点灯状態であった場合、ステップＳ３５において、キー機能表示制御部５７は、キー機能表示部１７ａの表示を他のメインディスプレイ１７の領域と同様の通常点灯状態に相当する輝度で表示する。この後、処理は微灯状態判定ステップＳ３１に戻り、キー機能表示制御部５７はステップＳ３１以降の処理を繰り返す。以上でキー機能表示制御処理の説明は終了する。
【０１０８】
なお、キー機能表示制御部５７は、点灯状態に応じて微灯状態である場合にキー機能表示部１７ａの表示制御を行ったが、点灯時間に応じてキー機能表示部１７ａの制御を行ってもよい。例えば、通常点灯状態が１０秒間以上継続した場合にキー機能表示部１７ａの表示を消灯または微灯状態よりも低い輝度で点灯するように制御してもよい。
【０１０９】
また、キー機能表示制御処理は、点灯時間取得処理および点灯時間制御処理と組み合わせて行ったが、キー機能表示制御処理のみ個別に実行してもよい。
【０１１０】
この携帯電話機１によれば、メインディスプレイ１７の点灯累積時間に応じて各点灯状態ごとの最適な点灯時間を自動的に設定するため、有機ＥＬ素子で構成されるメインディスプレイディ１７の経年劣化を低減することができ、これに伴いメインディスプレイ１７の使用可能期間を延長することができる。
【０１１１】
また、メインディスプレイ１７の点灯累計時間に応じて、点灯時間を自動的に設定するため、ユーザにとってわずらわしい操作を行うことなく、携帯電話機１の使用可能期間を延長することができる。
【０１１２】
また、点灯累積時間に加算する点灯時間は、メインディスプレイ１７が点灯状態であり、かつ静止画像が表示されている状態である場合に計測を行うため、一箇所に長時間固定表示を行うことによる有機ＥＬ素子の経年劣化に伴う、メインディスプレイ１７の焼付きをも防止することができる。
【０１１３】
さらに、メインディスプレイ１７を視認する必要性の低い微灯状態においては、ほぼ不必要であるキー機能表示部１７ａの表示を消灯または微灯状態よりも低い輝度で点灯するように制御するため、同一箇所に長時間固定表示を行うことによる有機ＥＬ素子の経年劣化を防止し、メインディスプレイ１７に対する焼付きを回避することができる。
【０１１４】
なお、本実施形態においては、メインディスプレイ１７は有機ＥＬ素子で構成される例を説明したが、これに限らず例えば無機ＥＬ素子、発光ダイオードなどの自発光型素子である場合に適用してもよい。また、表示部５８はメインディスプレイ１７に適用して説明したが、サブディスプレイ２１にも同様に適用することができる。
【０１１５】
さらに、メインディスプレイ１７の点灯状態は通常点灯状態、微灯状態および消灯状態の輝度の異なる３段階の点灯状態を設けた例を適用して説明したが、例えば通常点灯状態と消灯状態の２段階であってもよいし、さらに輝度の異なる段階の点灯状態を設けてもよい。
【図面の簡単な説明】
【０１１６】
【図１】本発明に係る携帯端末装置に適用可能な携帯電話機の外観の構成を示す図。
【図２】本発明に係る携帯端末装置に適用可能な携帯電話機の他の外観の構成を示す図。
【図３】本発明に係る携帯端末装置に適用可能な携帯電話機の内部の構成を示すブロック図。
【図４】図３の制御部により実行することができる機能的な構成を示すブロック図。
【図５】メインディスプレイの点等状態を説明する図であり、（Ａ）は通常点灯状態を示す図、（Ｂ）は微灯状態を示す図、（Ｃ）は消灯状態を示す図、（Ｄ）はキー機能表示部が消灯または微灯状態よりも低い輝度で点灯した状態を示す図。
【図６】点等時間ＤＢに格納された点灯時間設定テーブルの一例を示す図。
【図７】本実施形態における点灯時間取得処理の流れを説明するフローチャート。
【図８】本実施形態における他の点灯時間取得処理の流れを説明するフローチャート。
【図９】本実施形態における点灯時間制御処理の流れを説明するフローチャート。
【図１０】本実施形態におけるキー機能表示制御処理の流れを説明するフローチャート。
【符号の説明】
【０１１７】
１  携帯電話機
１４  操作キー
１４ａ  第１ソフトキー
１４ｂ  第２ソフトキー
１４ｃ  確定キー
１７  メインディスプレイ
１７ａ  キー機能表示部
２０  ＣＣＤカメラ
４１  制御部
４２  記憶部
５０  点灯時間計測部
５１  点灯累積時間データベース（ＤＢ）
５２  点灯時間データベース（ＤＢ）
５３  点灯累積時間比較部
５４  点灯時間設定部
５５  入力部
５６  点灯状態制御部
５７  キー機能表示制御部
５８  表示部
【図１】
0005136101.tif 000002
【図２】
0005136101.tif 000003
【図３】
0005136101.tif 000004
【図４】
0005136101.tif 000005
【図５】
0005136101.tif 000006
【図６】
0005136101.tif 000007
【図７】
0005136101.tif 000008
【図８】
0005136101.tif 000009
【図９】
0005136101.tif 000010
【図１０】
0005136101.tif 000011